(57)【特許請求の範囲】
【請求項１】
プリニー（ＰｒｅＫｎｅｅ）処理により圧縮された画像信号から特定色を検出する第１の色検出手段と、
前記プリニー処理により圧縮された画像信号がニーポイントより大きいときに前記特定色を検出する第２の色検出手段と、
前記プリニー処理により圧縮された画像信号の輝度に応じて、前記第１色検出手段の検出出力および第２色検出手段の検出出力のいずれかを出力する出力手段とを具えたことを特徴とする画像信号処理回路。
【請求項２】
請求項１において、
前記出力手段は、前記プリニー処理により圧縮された画像信号の輝度を検出する輝度検出手段と、前記輝度検出手段の検出結果に応じて、前記第１色検出手段の検出出力および第２色検出手段の検出出力のいずれかを選択して出力する切替手段とを有することを特徴
とする画像信号処理回路。
【発明の詳細な説明】
【０００１】
【発明の属する技術分野】
本発明は、画像信号から特定色を検出する画像信号処理回路に関するものである。
【０００２】
【従来の技術】
図１は画像信号から特定色を検出するための従来の回路を示す。
【０００３】
図１に示すように、アナログＰｒｅＫｎｅｅ処理回路１により、画像信号を構成するＲ，Ｇ，Ｂの各チャンネルごとに高輝度の信号を圧縮する。図２の（Ａ）はＰｒｅＫｎｅｅ処理回路１の入出力特性を示すものであって、Ｋｎｅｅポイントよりも高いレベルの入力信号を圧縮する。図２の（Ｂ）は、ある特定色（例では肌色に近い色）を撮像した場合の被写体の明るさ（光量）に対する入力映像レベル（ＲＧＢ信号）を示している。図２の（Ｃ）は、その映像信号をＰｒｅＫｎｅｅ処理回路を通過した後の映像レベルである。また図２の（Ｄ）は、同信号のＰｒｅＫｎｅｅ処理回路後のＲＧＢ信号より求めた輝度信号レベルを示している。したがって、ＰｒｅＫｎｅｅ処理回路１によって画像信号は全体のダイナミクスが抑えられ、Ａ／Ｄ（アナログ／デジタル）変換器２でディジタル信号に変換される。Ａ／Ｄ変換後の画像信号は、２つの色検出器３，４に入力され、各色検出器は、任意の２色のペア（例えばＲ，ＧとＲ，Ｂ）間の比率を調べ、その比率が、検出すべき特定色に関して設定した範囲内にある場合（例えば，図３の（Ａ），（Ｂ）において斜線で示した設定範囲（設定範囲ＲＧ１，ＢＲ１）内に各ペアの２色間の比率がある場合）にキー信号を出力する。図３の（Ａ）および（Ｂ）は、特定色の輝度に応じたＲとＧ，ＢとＲ比を示している。無彩色の場合、Ｒ，Ｇ，Ｂの比は１：１：１であるので、それぞれ４５度傾きを持った直線となる。
【０００４】
５は輝度判定器であって、Ａ／Ｄ変換器２によってＡ／Ｄ変換後の画像信号の輝度を判定し、当該画像信号中の色相が集まり判定の範囲が狭くなっている図３の（Ａ）の▲１▼の低輝度の部分では、たとえ色検出器からキー信号が出力されていても、それをミキサー６から出力させないような輝度判定信号（例えば、低輝度ではＬｏｗ、それ以外ではＨｉのパルス）を出力する。ミキサー６は、２つの色検出器３，４からのキー信号をミックスし、輝度判定器６からの輝度判定信号がＨｉのときのみミックスした信号をキー信号として出力する。
【０００５】
なお、色検出器３，４からのキー信号のミックスは、２つの色検出器で両方とも希望の設定範囲にある場合に、検出したい特定色とするなら、２つのキー信号の重なった部分を検出するように例えば２つのキー信号のＡＮＤを求める。
【０００６】
【発明が解決しようとする課題】
上記の従来の方式では、アナログＰｒｅＫｎｅｅ処理によって、画像信号のＲ，Ｇ，Ｂのいずれかが輝度圧縮（図２）された場合に、Ｒ，Ｇ，Ｂそれぞれの間の比率が圧縮前の比率から変化し、例えば図３の（Ａ）に示すように、Ｒ，Ｇ間で、圧縮前では設定範囲ＲＧ１内にある場合でも圧縮後は色検出器で検出されなくなることがあった。すなわち、圧縮前に設定範囲ＲＧ１内にあるＲ，Ｇ間の比率およびＢ，Ｒ間の比率は、図３の（Ａ），（Ｂ）に実線で各々示すように、ＰｒｅＫｎｅｅ処理回路による圧縮開始のレベル（図中、「ＰｒｅＫｎｅｅによる折れ曲がり」と記載した矢印のポイント）から本来の設定範囲ＲＧ１（斜線で示す）とは異なってしまう。このような誤検出の例としては、例えば、顔を映している画像信号の場合、同じ色であるはずの頬や額にライトが当たると明るく反射している部分はそこだけＰｒｅＫｎｅｅ回路により圧縮され本来の肌色から白色に近くなるのでキー信号がそこだけ誤検出してしまう。そのため従来方式では、５の輝度判定器により、単純に図２の（Ｄ）の▲２▼（図３の（Ａ）の▲２▼、図３の（Ｂ）の▲２▼に相当する輝度レベル）の高輝度ではキー信号を抑制するよう輝度スレッシュ２を設けていた。
【０００７】
そこで、本発明の目的は以上のような問題を解消した画像信号処理回路を提供することにある。
【０００８】
【課題を解決するための手段】
そこで、本発明者は、主に高輝度部分の誤検出が生じるのは，ＰｒｅＫｎｅｅ処理によって、画像信号の輝度が上がることにより、Ｒ，Ｇ，Ｂの比率が変化することが原因であるので、色検出器において、ＰｒｅＫｎｅｅ処理の圧縮開始のポイントを基準として、それより高輝度の場合は色検出の際の２色の比率に関して別の範囲を設定しておき、画像信号の輝度に応じて色検出の際の設定範囲を切り替えれば良いということに着目した。なお、図３の（Ａ）の▲１▼、図３の（Ｂ）の▲１▼の低輝度の黒色に近い部分については従来方式同様判定しないものとする。
【０００９】
本発明は上記知見に基づきなされたもので、請求項１の発明は、プリニー（ＰｒｅＫｎｅｅ）処理により圧縮された画像信号から特定色を検出する第１の色検出手段と、前記プリニー処理により圧縮された画像信号がニーポイントより大きいときに前記特定色を検出する第２の色検出手段と、前記プリニー処理により圧縮された画像信号の輝度に応じて、前記第１色検出手段の検出出力および第２色検出手段の検出出力のいずれかを出力する出力手段とを具えたことを特徴とする。
【００１０】
請求項２の発明は、請求項１において、前記出力手段は、前記プリニー処理により圧縮された画像信号の輝度を検出する輝度検出手段と、前記輝度検出手段の検出結果に応じて、前記前記第１色検出手段の検出出力および第２色検出手段の検出出力のいずれかを選択して出力する切替手段とを有することを特徴とする。
【００１１】
【発明の実施の形態】
図４は本発明の実施形態を示す。アナログＰｒｅＫｎｅｅ処理回路１、Ａ／Ｄ変換器２、および２つの色検出器３，４は、図１と同じ構成であり、２つの色検出器３，４は、図５に示すように、検出すべき特定色に関して設定範囲ＲＧ１，ＢＲ１を設定してあり、入力された画像信号の各ペア（Ｒ，ＧおよびＢ，Ｒ）の２色間の比率が設定範囲ＲＧ１，ＢＲ１内にある場合にキー信号を出力する。２つの色検出器３，４からのキー信号はミキサー９においてミックスされ出力される。
【００１２】
Ａ／Ｄ変換器２でディジタル信号に変換された画像信号は、さらに、２つのオフセット付色検出器７，８に入力される。各色検出器７，８は、図５に示すように，設定範囲ＲＧ１，ＢＲ１とは別の設定範囲ＲＧ２，ＢＲ２を設定してある。この設定範囲ＲＧ２，ＢＲ２は、次のようにして求めたものである。すなわち、検出すべき特定色に関して設定した設定範囲ＲＧ１，ＢＲ１に対して、ＰｒｅＫｎｅｅ処理回路１によるＰｒｅＫｎｅｅ処理の際の圧縮率、すなわち、例えば、図２のＫｎｅｅポイントより高いレベルでの入出力特性曲線の傾きに応じたオフセットを施して、別の設定範囲ＲＧ２，ＢＲ２を求めたものである。
【００１３】
したがって、２つのオフセット付色検出器７，８は、Ａ／Ｄ変換器２からのＡ／Ｄ変換後の画像信号の、任意の２色のペア（例えばＲ，ＧとＲ，Ｂ）間の比率を調べ、検出すべき特定色に関して設定した設定範囲ＲＧ２，ＢＲ２内に各ペアの２色間の比率が一定の範囲内にある場合にキー信号を出力する。２つの色検出器７，８からのキー信号はミキサー１０においてミックスされ出力される。
【００１４】
輝度判定器１１は、Ａ／Ｄ変換器２からのＡ／Ｄ変換後の画像信号に基づいて、３種類の判定信号のいずれかを出力する。すなわち、Ａ／Ｄ変換器２からのＡ／Ｄ変換後の画像信号中の色相が集まる低輝度の部分、すなわち、黒色に近い部分ではキー信号を出力させないようにする輝度の部分を指定する第１の判定信号と、それより高い輝度レベルであって例えば図２に示すようなＫｎｅｅポイントに相当する輝度レベルよりは低いレベルの部分を指定する第２の判定信号と、それより高い輝度レベルの部分を指定する第３の判定信号とのいずれかを出力する。なお、図５には、第１の判定信号出力と第２の判定信号出力との境界を輝度スレッシュ１として、第２の判定信号出力と第３の判定信号出力との境界を輝度スレッシュ２として示してある。
【００１５】
切替器１２は、２つのミキサー９，１０からのキー信号を入力し、輝度判定器１１からの３種類の判定信号に応答し、
（１）第１の判定信号に対しては２つのミキサー９，１０のいずれからのキー信号も出力しない、
（２）第２の判定信号に対してはミキサー９からのキー信号のみ出力する、
（３）第３の判定信号に対してはミキサー１０からのキー信号のみ出力する、
という３つの動作のうちの１つを実行する。
【００１６】
したがって、Ａ／Ｄ変換器２からのＡ／Ｄ変換後の画像信号は、図５に示すように、色相が集まる低輝度の黒色を検出してしまう部分に関しては、キー信号が出力されず、それより高い輝度レベルであって例えば図２に示すようなＫｎｅｅポイントに相当する輝度レベルよりは低いレベルの部分に関しては、２つの色検出器３，４において設定範囲ＲＧ１，ＢＲ１に基づいて上述のように色検出処理され、さらにそれより高い輝度レベルの部分に関しては、２つのオフセット付色検出器７，８において設定範囲ＲＧ２，ＢＲ２に基づいて上述のように色検出処理され、その結果、画像信号のうち、アナログＰｒｅＫｎｅｅ処理回路１で圧縮され、色の比率が崩れ、変化した部分であっても、それに適合した正確な特定色検出が行われる。
【００１７】
なお、２つのオフセット付色検出器７，８は、入力された画像信号に対して前記オフセットと同じ効果を得る演算を施し、当該演算後の２つの色のペア間の比率が、２つの色検出器３，４の設定範囲ＲＧ１，ＢＲ１と同じ設定範囲内にあるか否かに応じてキー信号の出力の可否を決定するようにしてもよい。
【００１８】
また、以上の説明は、Ｒ，Ｇ，Ｂ、すなわち、３原色信号についてのものであったが、輝度および色差信号からなる画像信号などにおいても、同様に実施できることは明らかである。
【００１９】
【発明の効果】
以上のように本発明によれば、画像信号から特定色を検出する際に、たとえば、アナログＰｒｅＫｎｅｅ処理によって色の比率が崩れ、変化した色相についても、正確な特定色検出が実現できる。
【図面の簡単な説明】
【図１】従来の画像信号処理回路を示す図である。
【図２】同回路によるＰｒｅＫｎｅｅ処理特性の一例を示す図である。
【図３】（Ａ），（Ｂ）は、同回路における特定色検出のための異なった２つの色のペア間の設定範囲を夫々示す図である。
【図４】本発明の実施形態の画像信号処理回路を示す図である。
【図５】（Ａ），（Ｂ）は、同回路における特定色検出のための異なった２つの色のペア間の各２つの設定範囲を夫々示す図である。
【符号の説明】
１    ＰｒｅＫｎｅｅ処理回路
２    Ａ／Ｄ変換器
３，４    色検出器
７，８    オフセット付色検出器
１１      輝度判定器
１２      切替器
【図１】
0003971550.tif 000002
【図２】
0003971550.tif 000003
【図３】
0003971550.tif 000004
【図４】
0003971550.tif 000005
【図５】
0003971550.tif 000006